(57)【要約】【課題】他の信号処理回路との共通化回路を利用したＣＡＰＡ検出を可能とした構成を提供する。【解決手段】ディスクに記録されたＣＡＰＡ検出のための処理回路と、ウォブル（Ｗｏｂｂｌｅ）信号検出処理の処理回路を共通化した信号処理回路の生成するＤＣカットされたプッシュプル信号をＣＡＰＡ検出回路に入力し、ピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する。本構成により、ＤＣカットによる波形の歪が生じた場合でも、問題なくＣＡＰＡ信号を生成して正確な制御が実現される。【選択図】図７
2009015988.tif 000002
【特許請求の範囲】
【請求項１】
光ディスクを利用したデータ記録または再生処理を実行する光ディスク装置であり、
ディスクに記録されたデータトラックのウォブル（Ｗｏｂｂｌｅ）信号検出処理を実行するとともに、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）情報に基づくＣＡＰＡ検出信号を生成する信号処理回路と、
前記信号処理回路の生成するＣＡＰＡ検出信号を入力して、２値化信号からなるＣＡＰＡ信号を生成するＣＡＰＡ検出回路を有し、
前記ＣＡＰＡ検出回路は、
前記信号処理回路の出力するＣＡＰＡ検出信号のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする光ディスク装置。
【請求項２】
前記信号処理回路は、
光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成する構成であり、
前記ＣＡＰＡ検出回路は、
前記プッシュプル信号［（Ａ＋Ｄ）−（Ｂ＋Ｃ）］のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする請求項１に記載の光ディスク装置。
【請求項３】
前記ＣＡＰＡ検出回路は、
前記ピークボトム差分信号［Ｓｐｅｋ−Ｓｂｔｍ］の２値化処理を実行するための閾値生成処理を実行するオフセット調整回路と、
前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータと、
を有する構成であることを特徴とする請求項１に記載の光ディスク装置。
【請求項４】
前記ＣＡＰＡ検出回路は、
前記ピークボトム差分信号［Ｓｐｅｋ−Ｓｂｔｍ］を入力するローパスフィルタと、
前記ローパスフィルタの出力を入力して前記ピークボトム差分信号［Ｓｐｅｋ−Ｓｂｔｍ］の２値化処理を実行するための閾値生成処理を実行するオフセット調整回路と、
前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータと、
を有する構成であることを特徴とする請求項１に記載の光ディスク装置。
【請求項５】
前記信号処理回路は、
光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成し、該プッシュプル信号［（Ａ＋Ｄ）−（Ｂ＋Ｃ）］に基づくデジタル信号を生成するＡＤコンバータを有し、
前記ＣＡＰＡ検出回路は、
前記ＡＤコンバータの出力としての前記プッシュプル信号［（Ａ＋Ｄ）−（Ｂ＋Ｃ）］のデジタル信号に基づいて生成したピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする請求項１に記載の光ディスク装置。
【請求項６】
信号処理を実行する信号処理装置であり、
光ディスクに記録されたデータトラックのウォブル（Ｗｏｂｂｌｅ）信号検出処理を実行するとともに、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）情報に基づくＣＡＰＡ検出信号を生成する信号処理回路と、
前記信号処理回路の生成するＣＡＰＡ検出信号を入力して、２値化信号からなるＣＡＰＡ信号を生成するＣＡＰＡ検出回路を有し、
前記ＣＡＰＡ検出回路は、
前記信号処理回路の出力するＣＡＰＡ検出信号のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする信号処理装置。
【請求項７】
前記信号処理回路は、
光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成する構成であり、
前記ＣＡＰＡ検出回路は、
前記プッシュプル信号［（Ａ＋Ｄ）−（Ｂ＋Ｃ）］のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする請求項６に記載の信号処理装置。
【請求項８】
前記ＣＡＰＡ検出回路は、
前記ピークボトム差分信号［Ｓｐｅｋ−Ｓｂｔｍ］の２値化処理を実行するための閾値生成処理を実行するオフセット調整回路と、
前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータと、
を有する構成であることを特徴とする請求項６に記載の信号処理装置。
【請求項９】
前記ＣＡＰＡ検出回路は、
前記ピークボトム差分信号［Ｓｐｅｋ−Ｓｂｔｍ］を入力するローパスフィルタと、
前記ローパスフィルタの出力を入力して前記ピークボトム差分信号［Ｓｐｅｋ−Ｓｂｔｍ］の２値化処理を実行するための閾値生成処理を実行するオフセット調整回路と、
前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータと、
を有する構成であることを特徴とする請求項６に記載の信号処理装置。
【請求項１０】
前記信号処理回路は、
光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成し、該プッシュプル信号［（Ａ＋Ｄ）−（Ｂ＋Ｃ）］に基づくデジタル信号を生成するＡＤコンバータを有し、
前記ＣＡＰＡ検出回路は、
前記ＡＤコンバータの出力としての前記プッシュプル信号［（Ａ＋Ｄ）−（Ｂ＋Ｃ）］のデジタル信号に基づいて生成したピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする請求項６に記載の信号処理装置。
【請求項１１】
光ディスクを利用したデータ記録または再生処理を実行する光ディスク装置における信号処理方法であり、
信号処理回路が、ディスクに記録されたデータトラックのウォブル（Ｗｏｂｂｌｅ）信号検出処理を実行するとともに、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）情報に基づくＣＡＰＡ検出信号を生成する信号処理ステップと、
ＣＡＰＡ検出回路が、前記信号処理ステップにおいて生成するＣＡＰＡ検出信号を入力して、２値化信号からなるＣＡＰＡ信号を生成するＣＡＰＡ信号生成ステッブを有し、
前記ＣＡＰＡ信号生成ステップは、
前記信号処理ステップにおいて出力されるＣＡＰＡ検出信号のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成するステップであることを特徴とする信号処理方法。
【請求項１２】
前記信号処理ステップは、
光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成するステップであり、
前記ＣＡＰＡ信号生成ステップは、
前記プッシュプル信号［（Ａ＋Ｄ）−（Ｂ＋Ｃ）］のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成するステップであることを特徴とする請求項１１に記載の信号処理方法。
【請求項１３】
前記ＣＡＰＡ信号生成ステップは、
前記ピークボトム差分信号［Ｓｐｅｋ−Ｓｂｔｍ］の２値化処理を実行するための閾値生成処理をオフセット調整回路において実行するオフセット調整ステップと、
前記ピークボトム差分信号［Ｓｐｅｋ−Ｓｂｔｍ］と、前記オフセット調整回路の生成する閾値との比較処理により２値化信号からなるＣＡＰＡ信号を生成するステップとを有することを特徴とする請求項１１に記載の信号処理方法。
【請求項１４】
前記ＣＡＰＡ信号生成ステップは、
前記ピークボトム差分信号［Ｓｐｅｋ−Ｓｂｔｍ］をローパスフィルタに入力するステップと、
前記ローパスフィルタの出力を入力して前記ピークボトム差分信号［Ｓｐｅｋ−Ｓｂｔｍ］の２値化処理を実行するための閾値生成処理をオフセット調整回路において実行するオフセット調整ステップと、
前記ピークボトム差分信号［Ｓｐｅｋ−Ｓｂｔｍ］と、前記オフセット調整回路の生成する閾値との比較処理により２値化信号からなるＣＡＰＡ信号を生成するステップを有することを特徴とする請求項１１に記載の信号処理方法。
【請求項１５】
前記信号処理ステップは、
光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成し、該プッシュプル信号［（Ａ＋Ｄ）−（Ｂ＋Ｃ）］に基づくデジタル信号を生成するステップを有し、
前記ＣＡＰＡ信号生成ステップは、
前記プッシュプル信号［（Ａ＋Ｄ）−（Ｂ＋Ｃ）］のデジタル信号に基づいて生成したピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成するステップであることを特徴とする請求項１１に記載の信号処理方法。
【発明の詳細な説明】
【技術分野】
【０００１】
本発明は、光ディスク装置、信号処理装置、および信号処理方法に関する。さらに詳細には、光ディスクに対するデータ記録または光ディスクからのデータ再生処理を行う光ディスク装置において、ＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）検出による光ピックアップ制御を行う光ディスク装置、信号処理装置、および信号処理方法に関する。
【背景技術】
【０００２】
情報記録媒体としてＣＤ、ＤＶＤなどの様々な光ディスクが利用されている。光ディスクに対するデータ記録または再生を行う場合、光ピックアップをディスクのトラックの中心、すなわちトラックセンタに位置させる制御が必要となる。このピックアップ制御方法として、光ディスクに予め記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）を用いる方法がある。
【０００３】
ディスクに記録されたアドレス情報としてのＣＡＰＡの検出によるピックアップ制御方法について説明する。図１は光ディスク上に設定されたトラック１０１と、トラックに対するデータ記録または再生処理に適用する光ピックアップから照射される光スポット１０２を示している。トラック１０１にはヘッダフィールド１１０が設定され、このヘッダフィールド１１０にＣＡＰＡが予め記録されている。
【０００４】
ＣＡＰＡは図に示すようにトラック中心から、それぞれ異なる方向にずれた２つのＣＡＰＡ１１１，１１２によって構成される。光スポット１０２の照射による再生信号は、図２に示すように、例えばスポット光を４分割された領域Ａ，Ｂ，Ｃ，Ｄ毎に読み取る処理として実行され、これらの領域毎の信号に対する処理を実行して、図１に示すヘッダフィールドのＣＡＰＡ１１１の領域を通過する際の読み取り信号と、ヘッダフィールドのＣＡＰＡ１１２の領域通過時の読み取り信号を解析して、光スポットのトラックセンタからのずれ量を算出しピックアップをトラックセンタに制御する構成となっている。
【０００５】
すなわち、４分割された領域Ａ，Ｂ，Ｃ，ＤのＡ，Ｄ側が、図１に示すヘッダフィールドのＣＡＰＡ１１１の領域側であり、Ｂ，Ｃ側が図１に示すヘッダフィールドのＣＡＰＡ１１２の領域側に対応する設定とし、ディスク装置の信号処理回路において、プッシュプル信号［（Ａ＋Ｄ）−（Ｂ＋Ｃ）］を生成して、この信号の変化に基づいてトラックセンタからのずれ量を算出しピックアップをトラックセンタに制御する構成となっている。
【０００６】
なお、トラック１０１は、蛇行したトラック、いわゆるウォブル（Ｗｏｂｂｌｅ）の形成されたトラックとして構成されている。蛇行は一定の線速で一定の周波数となる様に設定され、光ピックアップによる記録再生時にトラックからウォブル（Ｗｏｂｂｌｅ）に基づく信号を読み取り、その読み取り信号を一定の周波数に保つようにディスクの回転数制御などを行うことで記録再生処理を一定の線速度で行う構成としている。これによりディスクの内周から外周まで同じ密度での情報記録が可能となる。
【０００７】
ＣＡＰＡの検出およびウォブル信号の検出に基づく制御構成例について、図２、図３を参照して説明する。図２は、光ディスク装置における光ピックアップの詳細構成を示し、図３は、光ディスク装置の信号処理回路におけるウォブル（Ｗｏｂｂｌｅ）信号処理回路とＣＡＰＡ検出信号生成回路の一般的構成を示している。
【０００８】
図２において光ピックアップ１５７のレーザ１５５からから発生されたレーザ光は、コリメータレンズ１５４、ハーフプリズム１５３、対物レンズ１５２を介して光ディスク１５１に照射される。      
【０００９】
光ディスク１５１からの反射光は、対物レンズ１５２、ハーフプリズム１５３を介して光ピックアップ内部の光センサ１５６に導かれる。光センサ１５６は領域Ａ、Ｂ、Ｃ、Ｄに４分割されており、ＲＦ信号Ａ、Ｂ、Ｃ、Ｄが得られる。
【００１０】
次に、図３を用いて従来のシステムにおけるＣＡＰＡ検出およびウォブル信号検出処理例について説明する。光センサにより検出されたＲＦ信号は、ウォブル（Ｗｏｂｂｌｅ）信号処理回路１７０とＣＡＰＡ検出信号生成回路１９０にそれぞれ入力される。
【００１１】
ウォブル（Ｗｏｂｂｌｅ）信号処理回路１７０に入力されたＲＦ信号（Ａ、Ｂ、Ｃ、Ｄ）は、加算回路１７１，１７２によりそれぞれ加算され、信号（Ａ＋Ｄ）と信号（Ｂ＋Ｃ）が生成される。これらの信号（Ａ＋Ｄ）と信号（Ｂ＋Ｃ）は、ハイパスフィルタ（ＨＰＦ）１７３，１７４によりＤＣ成分がカットされ、さらに、ゲインコントロールアンプ（ＧＣＡ）１７５，１７６により適切な振幅に調整された後、減算回路１７７によりプッシュプル信号［（Ａ＋Ｄ）−（Ｂ＋Ｃ）］が生成される。
【００１２】
プッシュプル信号［（Ａ＋Ｄ）−（Ｂ＋Ｃ）］は、ハイパスフィルタ（ＨＰＦ）１７８によりＤＣ成分がカットされ、ゲインコントロールアンプ（ＧＣＡ）１７９により適切な振幅に調整される。ゲインコントロールアンプ（ＧＣＡ）１７９の出力はバンドパスフィルタ（ＢＰＦ）１８０に入力される。
【００１３】
バンドパスフィルタ（ＢＰＦ）１８０は入力信号から、ウォブル（Ｗｏｂｂｌｅ）帯域の信号成分のみを抽出し、抽出した信号をコンパレータ（Ｃｏｍｐ）１８１に入力する。コンパレータ（Ｃｏｍｐ）１８１では、予め定めた閾値による２値化処理を実行し、２値化パルスを生成してＰＬＬへ出力する。ＰＬＬでは、入力する２値化パルスに応じて、例えばディスク回転速度制御用の信号を生成して制御が実行される。
【００１４】
一方、ＣＡＰＡ検出信号生成回路１９０に入力された光ピックアップからの４つのＲＦ信号Ａ、Ｂ、Ｃ、Ｄは、加算回路１９１と１９２により加算され、信号（Ａ＋Ｄ）、および信号（Ｂ＋Ｃ）が生成される。
【００１５】
信号（Ａ＋Ｄ）、および信号（Ｂ＋Ｃ）は、ゲインコントロールアンプ（ＧＣＡ）１９３，１９４により適切な振幅に調整された後、減算回路１９５で減算することによりプッシュプル信号［（Ａ＋Ｄ）−（Ｂ＋Ｃ）］が得られる。      
【００１６】
プッシュプル信号［（Ａ＋Ｄ）−（Ｂ＋Ｃ）］は、ゲインコントロールアンプ（ＧＣＡ）１９６で適切な振幅に調整されＣＡＰＡ検出回路１９７に入力される。ＣＡＰＡ検出回路１９７では、プッシュプル信号［（Ａ＋Ｄ）−（Ｂ＋Ｃ）］に基づいて、光ピックアップがトラックセンタにあるか、あるいはずれているか、ずれている場合はどの程度のずれ量かを算出し、光ピックアップをトラック中心に設定するために適用するＣＡＰＡ信号を出力する。
【００１７】
ＣＡＰＡ検出回路１９７におけるＣＡＰＡ信号の生成処理の一例として、プッシュプル信号［（Ａ＋Ｄ）−（Ｂ＋Ｃ）］をさらにコンパレータに入力して、所定の閾値で２値化してその２値化信号を出力する構成がある。この構成については、例えば、特許文献１（特開２００４−１９２７２９号公報）に記載されている。このようなＣＡＰＡ信号を生成するＣＡＰＡ検出回路構成について図４、図５を参照して説明する。
【００１８】
図４は、プッシュプル信号［（Ａ＋Ｄ）−（Ｂ＋Ｃ）］を入力して、２値化した高レベルＣＡＰＡ信号と、２値化した低レベルＣＡＰＡ信号を出力する回路を示している。図４において、ピークホールド回路２０１がプッシュプル信号のピークレベルをホールドした信号［Ｓｐｅａｋ］を生成し、コンパレータ２０３がこのピークホールド信号［Ｓｐｅａｋ］を一定の閾値レベル［ＳＰｒｅｆ］と比較して２値化することにより、高レベル側の２値化ＣＡＰＡ信号を生成する。
【００１９】
一方、ボトムホールド回路２０２は、プッシュプル信号［（Ａ＋Ｄ）−（Ｂ＋Ｃ）］のボトムレベルをホールドした信号［Ｓｂｔｍ］を生成し、コンパレータ２０４がこのボトムホールド信号［Ｓｂｔｍ］を一定の閾値レベル［ＳＢｒｅｆ］と比較して２値化することにより、低レベル側の２値化ＣＡＰＡ信号を生成する。
【００２０】
図５は、図４に示すようなプッシュプル信号［（Ａ＋Ｄ）−（Ｂ＋Ｃ）］を入力して、２値化した高レベルＣＡＰＡ信号と、２値化した低レベルＣＡＰＡ信号を出力する信号処理構成とした場合の信号波形を説明する図であり、（１）はプッシュプル信号に対するＤＣカットを行わず、２値化した高レベルＣＡＰＡ信号と、２値化した低レベルＣＡＰＡ信号を出力する場合の波形、（２）はプッシュプル信号をＤＣカットして２値化した高レベルＣＡＰＡ信号と、２値化した低レベルＣＡＰＡ信号を出力する場合の波形を表す。
【００２１】
図５（１）に示すように、ＤＣカットをせずにＣＡＰＡ検出を行う場合、適切な閾値レベルが設定されていれば、正しくＣＡＰＡを検出することができる。一方、図５（２）に示すように、プッシュプル信号をＤＣカットして２値化した高レベルＣＡＰＡ信号と、２値化した低レベルＣＡＰＡ信号を出力しようとすると、ＣＡＰＡ部の波形が歪んでしまい、高レベル側と低レベル側のＣＡＰＡ検出信号のパルス幅が極端に狭くなってしまい、正しくＣＡＰＡが検出されない場合がある。
【００２２】
先に説明した図３に示す信号処理回路では、Ｗｏｂｂｌｅ信号処理回路１７０に入力されたＲＦ信号Ａ、Ｂ、Ｃ、Ｄは、加算回路１７１，１７２によりそれぞれ加算され、信号（Ａ＋Ｄ）と信号（Ｂ＋Ｃ）が生成された後、これらの信号（Ａ＋Ｄ）と信号（Ｂ＋Ｃ）は、ハイパスフィルタ（ＨＰＦ）１７３，１７４によりＤＣ成分がカットされる構成となっている。ＤＣカットしないと回路のオフセットが取れない上にダイナミックレンジも必要なので、このような処理が行われる。しかし、ＣＡＰＡ検出信号生成回路では、図５を参照して説明したように、プッシュプル信号をＤＣカットして２値化した高レベルＣＡＰＡ信号と、２値化した低レベルＣＡＰＡ信号を出力しようとすると、ＣＡＰＡ部の波形が歪んでしまい、高レベル側と低レベル側のＣＡＰＡ検出信号のパルス幅が極端に狭くなってしまい、正しくＣＡＰＡが検出されない場合がある。
【００２３】
もし、ＣＡＰＡ検出信号生成回路においても、ＤＣカット処理を行った信号に対する処理を行う構成とすれば、図３に示す、各処理回路１７０，１９０における加算回路〜ゲインコントロールアンプ（ＧＣＡ）までの回路を共通化できるが、図５（２）を参照して説明したように、ＣＡＰＡ部の波形が歪んでしまい、高レベル側と低レベル側のＣＡＰＡ検出信号のパルス幅が極端に狭くなってしまい、正しくＣＡＰＡが検出されないという問題があり、回路の共通化を妨げる問題となっていた。
【特許文献１】特開２００４−１９２７２９号公報
【発明の開示】
【発明が解決しようとする課題】
【００２４】
本発明は、上述の問題点に鑑みてなされたものであり、ウォブル（Ｗｏｂｂｌｅ）検出回路と、ＣＡＰＡ検出信号生成回路を共通化して小型化および低コストを実現した処理回路を持つ光ディスク装置、信号処理装置、および信号処理方法を提供することを目的とする。
【００２５】
また、本発明は、ＣＡＰＡ検出信号生成回路においてもＤＣカット処理を行った信号を利用し精度の高いＣＡＰＡ検出を実現する光ディスク装置、信号処理装置、および信号処理方法を提供することを目的とする。
【課題を解決するための手段】
【００２６】
本発明の第１の側面は、
光ディスクを利用したデータ記録または再生処理を実行する光ディスク装置であり、
ディスクに記録されたデータトラックのウォブル（Ｗｏｂｂｌｅ）信号検出処理を実行するとともに、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）情報に基づくＣＡＰＡ検出信号を生成する信号処理回路と、
前記信号処理回路の生成するＣＡＰＡ検出信号を入力して、２値化信号からなるＣＡＰＡ信号を生成するＣＡＰＡ検出回路を有し、
前記ＣＡＰＡ検出回路は、
前記信号処理回路の出力するＣＡＰＡ検出信号のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする光ディスク装置にある。
【００２７】
さらに、本発明の光ディスク装置の一実施態様において、前記信号処理回路は、光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成する構成であり、前記ＣＡＰＡ検出回路は、前記プッシュプル信号［（Ａ＋Ｄ）−（Ｂ＋Ｃ）］のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする。
【００２８】
さらに、本発明の光ディスク装置の一実施態様において、前記ＣＡＰＡ検出回路は、前記ピークボトム差分信号［Ｓｐｅｋ−Ｓｂｔｍ］の２値化処理を実行するための閾値生成処理を実行するオフセット調整回路と、前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータとを有する構成であることを特徴とする。
【００２９】
さらに、本発明の光ディスク装置の一実施態様において、前記ＣＡＰＡ検出回路は、前記ピークボトム差分信号［Ｓｐｅｋ−Ｓｂｔｍ］を入力するローパスフィルタと、前記ローパスフィルタの出力を入力して前記ピークボトム差分信号［Ｓｐｅｋ−Ｓｂｔｍ］の２値化処理を実行するための閾値生成処理を実行するオフセット調整回路と、前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータと、を有する構成であることを特徴とする。
【００３０】
さらに、本発明の光ディスク装置の一実施態様において、前記信号処理回路は、光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成し、該プッシュプル信号［（Ａ＋Ｄ）−（Ｂ＋Ｃ）］に基づくデジタル信号を生成するＡＤコンバータを有し、前記ＣＡＰＡ検出回路は、前記ＡＤコンバータの出力としての前記プッシュプル信号［（Ａ＋Ｄ）−（Ｂ＋Ｃ）］のデジタル信号に基づいて生成したピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする。
【００３１】
さらに、本発明の第２の側面は、
信号処理を実行する信号処理装置であり、
光ディスクに記録されたデータトラックのウォブル（Ｗｏｂｂｌｅ）信号検出処理を実行するとともに、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）情報に基づくＣＡＰＡ検出信号を生成する信号処理回路と、
前記信号処理回路の生成するＣＡＰＡ検出信号を入力して、２値化信号からなるＣＡＰＡ信号を生成するＣＡＰＡ検出回路を有し、
前記ＣＡＰＡ検出回路は、
前記信号処理回路の出力するＣＡＰＡ検出信号のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする信号処理装置にある。
【００３２】
さらに、本発明の信号処理装置の一実施態様において、前記信号処理回路は、光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成する構成であり、前記ＣＡＰＡ検出回路は、前記プッシュプル信号［（Ａ＋Ｄ）−（Ｂ＋Ｃ）］のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする。
【００３３】
さらに、本発明の信号処理装置の一実施態様において、前記ＣＡＰＡ検出回路は、前記ピークボトム差分信号［Ｓｐｅｋ−Ｓｂｔｍ］の２値化処理を実行するための閾値生成処理を実行するオフセット調整回路と、前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータと、を有する構成であることを特徴とする。
【００３４】
さらに、本発明の信号処理装置の一実施態様において、前記ＣＡＰＡ検出回路は、前記ピークボトム差分信号［Ｓｐｅｋ−Ｓｂｔｍ］を入力するローパスフィルタと、前記ローパスフィルタの出力を入力して前記ピークボトム差分信号［Ｓｐｅｋ−Ｓｂｔｍ］の２値化処理を実行するための閾値生成処理を実行するオフセット調整回路と、前記ピークボトム差分信号［Ｓｐｅｋ−Ｓｂｔｍ］と、前記オフセット調整回路の生成する閾値との比較処理により２値化信号からなるＣＡＰＡ信号を生成するコンパレータと、を有する構成であることを特徴とする。
【００３５】
さらに、本発明の信号処理装置の一実施態様において、前記信号処理回路は、光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成し、該プッシュプル信号［（Ａ＋Ｄ）−（Ｂ＋Ｃ）］に基づくデジタル信号を生成するＡＤコンバータを有し、前記ＣＡＰＡ検出回路は、前記ＡＤコンバータの出力としての前記プッシュプル信号［（Ａ＋Ｄ）−（Ｂ＋Ｃ）］のデジタル信号に基づいて生成したピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成であることを特徴とする。
【００３６】
さらに、本発明の第３の側面は、
光ディスクを利用したデータ記録または再生処理を実行する光ディスク装置における信号処理方法であり、
信号処理回路が、ディスクに記録されたデータトラックのウォブル（Ｗｏｂｂｌｅ）信号検出処理を実行するとともに、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）情報に基づくＣＡＰＡ検出信号を生成する信号処理ステップと、
ＣＡＰＡ検出回路が、前記信号処理ステップにおいて生成するＣＡＰＡ検出信号を入力して、２値化信号からなるＣＡＰＡ信号を生成するＣＡＰＡ信号生成ステッブを有し、
前記ＣＡＰＡ信号生成ステップは、
前記信号処理ステップにおいて出力されるＣＡＰＡ検出信号のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成するステップであることを特徴とする信号処理方法にある。
【００３７】
さらに、本発明の信号処理方法の一実施態様において、前記信号処理ステップは、光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成するステップであり、前記ＣＡＰＡ信号生成ステップは、前記プッシュプル信号［（Ａ＋Ｄ）−（Ｂ＋Ｃ）］のピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成するステップであることを特徴とする。
【００３８】
さらに、本発明の信号処理方法の一実施態様において、前記ＣＡＰＡ信号生成ステップは、前記ピークボトム差分信号［Ｓｐｅｋ−Ｓｂｔｍ］の２値化処理を実行するための閾値生成処理をオフセット調整回路において実行するオフセット調整ステップと、前記ピークボトム差分信号［Ｓｐｅｋ−Ｓｂｔｍ］と、前記オフセット調整回路の生成する閾値との比較処理により２値化信号からなるＣＡＰＡ信号を生成するステップとを有することを特徴とする。
【００３９】
さらに、本発明の信号処理方法の一実施態様において、前記ＣＡＰＡ信号生成ステップは、前記ピークボトム差分信号［Ｓｐｅｋ−Ｓｂｔｍ］をローパスフィルタに入力するステップと、前記ローパスフィルタの出力を入力して前記ピークボトム差分信号［Ｓｐｅｋ−Ｓｂｔｍ］の２値化処理を実行するための閾値生成処理をオフセット調整回路において実行するオフセット調整ステップと、前記ピークボトム差分信号［Ｓｐｅｋ−Ｓｂｔｍ］と、前記オフセット調整回路の生成する閾値との比較処理により２値化信号からなるＣＡＰＡ信号を生成するステップを有することを特徴とする。
【００４０】
さらに、本発明の信号処理方法の一実施態様において、前記信号処理ステップは、光ディスク再生信号として得られる４分割センサの各領域信号（Ａ，Ｂ，Ｃ，Ｄ）を入力し、加算信号（Ａ＋Ｄ）および加算信号（Ｂ＋Ｃ）に対するＤＣカット信号を生成し、該ＤＣカット信号に基づく差分信号としてのプッシュプル信号［（Ａ＋Ｄ）−（Ｂ＋Ｃ）］を生成し、該プッシュプル信号［（Ａ＋Ｄ）−（Ｂ＋Ｃ）］に基づくデジタル信号を生成するステップを有し、前記ＣＡＰＡ信号生成ステップは、前記プッシュプル信号［（Ａ＋Ｄ）−（Ｂ＋Ｃ）］のデジタル信号に基づいて生成したピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成するステップであることを特徴とする。
【００４１】
本発明のさらに他の目的、特徴や利点は、後述する本発明の実施例や添付する図面に基づくより詳細な説明によって明らかになるであろう。
【発明の効果】
【００４２】
本発明の一実施例構成によれば、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）の検出のための処理回路と、ウォブル（Ｗｏｂｂｌｅ）信号検出処理の処理回路の多くを共通化することが可能となり、装置の小型化およびコストダウンが実現される。本発明の一実施例構成によれば、ＣＡＰＡ検出回路において、ＣＡＰＡ検出のための処理回路と、ウォブル（Ｗｏｂｂｌｅ）信号検出処理の共通信号処理回路の生成するＤＣカットされたプッシュプル信号を入力して、ピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成としたので、ＤＣカットによる波形の歪が生じた場合でも、問題なくＣＡＰＡ信号を生成して正確な制御が実現される。
【発明を実施するための最良の形態】
【００４３】
以下、図面を参照しながら、本発明の光ディスク装置、信号処理装置、および信号処理方法の詳細について説明する。
【００４４】
図６は本発明のディスク装置におけるウォブル（Ｗｏｂｂｌｅ）検出回路と、ＣＡＰＡ検出回路を共通化して小型化および低コストを実現した処理回路の一例を示す図である。以下において説明する本発明による方式を用いるとＤＣカットしたプッシュプル信号でもＣＡＰＡ検出が行えるので、先に図３を参照して説明したように、ウォブル（Ｗｏｂｂｌｅ）検出回路と、ＣＡＰＡ検出信号生成回路を個別に設ける構成、すなわち、従来必要としていたＣＡＰＡ検出信号生成のための独立した専用回路が不要となる。
【００４５】
なお、以下において説明する本発明の実施例に係るディスク装置においても、光ピックアップは、先に図２を参照して説明した領域Ａ、Ｂ、Ｃ、Ｄに４分割された光センサによりＲＦ信号（Ａ、Ｂ、Ｃ、Ｄ）を取得する構成が用いられる。すなわち、図２に示す４分割されたセンサ領域Ａ，Ｂ，Ｃ，ＤのＡ，Ｄ側が、図１に示すヘッダフィールドのＣＡＰＡ１１１の領域側であり、Ｂ，Ｃ側が図１に示すヘッダフィールドのＣＡＰＡ１１２の領域側に対応する設定とし、ディスク装置の信号処理回路において、プッシュプル信号［（Ａ＋Ｄ）−（Ｂ＋Ｃ）］を生成して、この信号の変化に基づいてトラックセンタからのずれ量を算出しピックアップをトラックセンタに制御する。
【００４６】
本発明に従った信号処理回路は、図６に示すように、ウォブル（Ｗｏｂｂｌｅ）信号処理回路と、ＣＡＰＡ検出信号生成回路を共通回路として設定することができる。図６に示す信号処理回路の処理について説明する。
【００４７】
ウォブル（Ｗｏｂｂｌｅ）信号処理回路３００に入力されたＲＦ信号（Ａ、Ｂ、Ｃ、Ｄ）は、加算回路３０１，３０２によりそれぞれ加算され、信号（Ａ＋Ｄ）と信号（Ｂ＋Ｃ）が生成される。これらの信号（Ａ＋Ｄ）と信号（Ｂ＋Ｃ）は、ハイパスフィルタ（ＨＰＦ）３０３，３０４によりＤＣ成分がカットされ、さらに、ゲインコントロールアンプ（ＧＣＡ）３０５，３０６により適切な振幅に調整された後、減算回路３０７によりプッシュプル信号［（Ａ＋Ｄ）−（Ｂ＋Ｃ）］が生成される。これにより、ＲＦ信号は同相のため打ち消され、逆相のウォブル（Ｗｏｂｂｌｅ）信号とＣＡＰＡ検出信号が残る。
【００４８】
プッシュプル信号［（Ａ＋Ｄ）−（Ｂ＋Ｃ）］は、ハイパスフィルタ（ＨＰＦ）３０８によりＤＣ成分がカットされ、ゲインコントロールアンプ（ＧＣＡ）３０９により適切な振幅に調整される。ゲインコントロールアンプ（ＧＣＡ）３０９の出力は、ウォブル（Ｗｏｂｂｌｅ）信号検出用信号とＣＡＰＡ信号検出用信号に分けられる。
【００４９】
ウォブル（Ｗｏｂｂｌｅ）信号検出用信号は、ゲインコントロールアンプ（ＧＣＡ）３０９から、バンドパスフィルタ（ＢＰＦ）３１０に入力される。バンドパスフィルタ（ＢＰＦ）３１０は入力信号から、ウォブル（Ｗｏｂｂｌｅ）帯域の信号成分のみを抽出し、抽出した信号をコンパレータ（Ｃｏｍｐ）３１１に入力する。コンパレータ（Ｃｏｍｐ）３１１では、予め定めた閾値による２値化処理を実行し、２値化パルスを生成してＰＬＬへ出力する。ＰＬＬでは、入力する２値化パルスに応じて、例えばディスク回転速度制御用の信号を生成して制御が実行される。
【００５０】
ゲインコントロールアンプ（ＧＣＡ）３０９の出力によって構成されるＣＡＰＡ検出用の信号は、ＣＡＰＡ検出回路３２１に入力され、本発明に従ったＣＡＰＡ検出方式によりＣＡＰＡ信号が生成される。
【００５１】
本発明に従ったＣＡＰＡ検出方式を実行するＣＡＰＡ検出回路３２１の詳細構成例を図７に示す。図７は本発明の一実施例に係るＣＡＰＡ検出回路３２１の詳細構成を示すブロック図であり、図８は、図７に示すＣＡＰＡ検出回路３２１の処理を説明するための波形図である。
【００５２】
図７に示すように、ＣＡＰＡ検出回路３２１は、ピークホールド回路４０１、ボトムホールド回路４０２、ピークホールド信号からボトムホールド信号を減算する減算回路４０３、オフセット調整回路４０４、コンパレータ４０５を有する。
【００５３】
ＣＡＰＡ検出回路３２１は、図７に示すＷｏｂｂｌｅ信号処理回路３００のゲインコントロールアンプ（ＧＣＡ）３０９の出力であるＣＡＰＡ検出信号、すなわち、プッシュプル信号を入力する。ピークホールド回路４０１は、入力するプッシュプル信号のピークレベルをホールドした信号［Ｓｐｅａｋ］を出力する。図８に示す（ａ）プッシュプル信号のピークレベルをホールドしたピークレベルホールド信号［Ｓｐｅａｋ］４５１である。
【００５４】
一方、ボトムホールド回路４０２は、プッシュプル信号のボトムレベルをホールドした信号［Ｓｂｔｍ］を出力する。図８に示す（ａ）プッシュプル信号のボトムレベルをホールドしたボトムレベルホールド信号［Ｓｂｔｍ］４５２である。
【００５５】
減算回路４０３は、ピークレベルホールド信号［Ｓｐｅａｋ］からボトムレベルホールド信号［Ｓｂｔｍ］を減算したピークボトム差分信号［Ｓｐｅｋ−Ｓｂｔｍ］を出力する。図８（ｂ）に示すピークボトム差分信号［Ｓｐｅｋ−Ｓｂｔｍ］４５３である。
【００５６】
コンパレータ４０５は、ピークボトム差分信号［Ｓｐｅｋ−Ｓｂｔｍ］を、０Ｖを基準にオフセット調整回路４０４により調整された閾値［Ｓｒｅｆ］と比較して２値化することによりＣＡＰＡ信号を出力する。
【００５７】
すなわち、図８（ｂ）に示すピークボトム差分信号［Ｓｐｅｋ−Ｓｂｔｍ］４５３について、閾値［Ｓｒｅｆ］４５４と比較して、図８（ｃ）に示す２値化ＣＡＰＡ信号を出力する。
【００５８】
なお、図８（ｃ）に示す２値化ＣＡＰＡ信号は、図１に示すヘッダフィールド１１０に対して１つのパルスである。一方、図５を参照して説明した従来構成では、高レベル側ＣＡＰＡ信号として図１に示すＣＡＰＡ１１１に対するパルスと、低レベル側ＣＡＰＡ信号として図１に示すＣＡＰＡ１１２に対するパルスの２つのパルスを用いている。本発明のＣＡＰＡ検出回路３２１は、図１に示すヘッダフィールド１１０に対して１つのパルスのみを生成する構成となっているが、この１パルス構成であっても、ピックアップが中心からずれている場合は、パルス幅に変化が発生することになり、中心からのずれを判別することが可能であり、この１パルスＣＡＰＡ信号に基づく制御が実行される。
【００５９】
なお、閾値［Ｓｒｅｆ］は、原理的には０Ｖを基準にすれば良い。ただし、回路のオフセットが無視できない場合は、図９に示すように、ピークボトム差分信号［Ｓｐｅｋ−Ｓｂｔｍ］を、ローパスフィルタ（ＬＰＦ）４８１を通過させて高周波成分を除去した出力を基準信号としてオフセット調整回路４０４に入力してオフセット調整回路４０４において基準信号に基づいて閾値［ＳＬｒｅｆ］を生成する構成としてもよい。
【００６０】
この構成の場合には、コンパレータ４０５はピークボトム差分信号［Ｓｐｅｋ−Ｓｂｔｍ］に対して、ローパスフィルタ（ＬＰＦ）４８１に通した出力を基準としてオフセット調整回路４０４における調整によって生成した閾値［ＳＬｒｅｆ］に基づく比較処理を実行して２値化することによりＣＡＰＡ信号を出力する。
【００６１】
なお、ＲＦ信号に対して、ウォブル（Ｗｏｂｂｌｅ）信号の周期は１８６倍、ＣＡＰＡ信号は４倍と各信号の周期には差が存在するので、図７に示すＣＡＰＡ検出回路３２１のピークホールド回路４０１とボトムホールド回路４０２の時定数を、ＣＡＰＡ信号の周期に適合するように調整することで、ウォブル（Ｗｏｂｂｌｅ）信号はホールドせずＣＡＰＡ信号のみを選択的にホールドさせた信号を抽出することができる。
【００６２】
このように本発明の構成では、ＣＡＰＡ検出回路３２１は、図７に示すウォブル（Ｗｏｂｂｌｅ）信号処理回路３００と共通回路を利用して、ゲインコントロールアンプ（ＧＣＡ）３０９の出力をＣＡＰＡ検出信号として入力して、ピークレベルホールド信号［Ｓｐｅａｋ］と、ボトムレベルホールド信号［Ｓｂｔｍ］を生成し、さらに、ピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、このピークボトム差分信号［Ｓｐｅｋ−Ｓｂｔｍ］を閾値による２値化処理を行う構成とすることで、図８（ｃ）に示す高品質なＣＡＰＡ信号を出力することができる。
【００６３】
図７に示すウォブル（Ｗｏｂｂｌｅ）信号処理回路３００は、従来と同様、ウォブル（Ｗｏｂｂｌｅ）信号検出処理用の信号を生成するため、ハイパスフィルタ（ＨＰＦ）３０３，３０４において、ＤＣ成分のカット処理を行っており、ＣＡＰＡ検出回路３２１に入力されるプッシュプル信号は、図８（ａ）に示す波形、すなわち、先に図５（２）を参照して説明した波形と同様の波形となるが、本発明のＣＡＰＡ検出回路３２１では、ピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、このピークボトム差分信号［Ｓｐｅｋ−Ｓｂｔｍ］を閾値による２値化処理を行う構成とすることで、図８（ｃ）に示す高品質なＣＡＰＡ信号を出力することができる。
【００６４】
本発明の構成によれば、図８に示すようにＣＡＰＡ検出信号であるプッシュプル信号から生成したピークボトム差分信号［Ｓｐｅｋ−Ｓｂｔｍ］は、ＤＣカットにより歪んだ信号となるが、このような歪のある信号であっても、ピークボトム差分信号［Ｓｐｅｋ−Ｓｂｔｍ］の生成により、ＣＡＰＡ検出信号の振幅成分だけを抜き取り、この振幅成分（ピークボトム差分信号［Ｓｐｅｋ−Ｓｂｔｍ］）に対して、閾値（Ｓｒｅｆ）を適用した２値化処理を行う構成とすることで、図８（ｃ）に示す高品質なＣＡＰＡ信号を出力することができる。
【００６５】
なお、図６に示すＷｏｂｂｌｅ信号処理回路３００の構成では、ＣＡＰＡ検出回路３２１に入力する信号をアナログ信号としているが、図１０に示すＷｏｂｂｌｅ信号処理回路５００に示すように、ゲインコントロールアンプ（ＧＣＡ）３０９の出力をアンチエイリアスフィルタ（ＡＡＦ）５０１に入力して高周波成分を除去してＡＤコンバータ（Ａ／Ｄ）５０２でデジタルデータに変換し、バンドパスフィルタ（ＢＰＦ）５０３でデジタルデータからでウォブル（Ｗｏｂｂｌｅ）帯域の信号成分のみを抜き出す構成としてもよい。なお、この構成とした場合、ＣＡＰＡ検出用の信号は、ＡＤコンバータ（Ａ／Ｄ）５０２のデジタル信号となり、ＣＡＰＡ検出回路５２１は、プッシュプル信号をデジタル信号として入力し、デジタル信号処理により、ＣＡＰＡ信号を生成する。
【００６６】
なお、ＣＡＰＡ検出回路５２１の処理は、プッシュプル信号をデジタル化した信号から、ピークレベルホールド信号［Ｓｐｅａｋ］と、ボトムレベルホールド信号［Ｓｂｔｍ］とを生成し、ピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成して、このピークボトム差分信号［Ｓｐｅｋ−Ｓｂｔｍ］を閾値による２値化処理を行うという同様の処理をデジタル信号レベルで実行することになり、前述の処理例と同様、結果として図８（ｃ）に示す高品質なＣＡＰＡ信号を出力することができる。
【００６７】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００６８】
なお、明細書に記載された各種の処理は、記載に従って時系列に実行されるのみならず、処理を実行する装置の処理能力あるいは必要に応じて並列的にあるいは個別に実行されてもよい。
【産業上の利用可能性】
【００６９】
以上、説明したように、本発明の一実施例構成によれば、ディスクに記録されたアドレス情報としてのＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）の検出のための処理回路と、ウォブル（Ｗｏｂｂｌｅ）信号検出処理の処理回路の多くを共通化することが可能となり、装置の小型化およびコストダウンが実現される。本発明の一実施例構成によれば、ＣＡＰＡ検出回路において、ＣＡＰＡ検出のための処理回路と、ウォブル（Ｗｏｂｂｌｅ）信号検出処理の共通信号処理回路の生成するＤＣカットされたプッシュプル信号を入力して、ピークレベルホールド信号［Ｓｐｅａｋ］からボトムレベルホールド信号［Ｓｂｔｍ］を減算したピークボトム差分信号［Ｓｐｅｋ−Ｓｂｔｍ］を生成し、ピークボトム差分信号［Ｓｐｅｋ−Ｓｂｔｍ］の閾値による２値化処理を実行してＣＡＰＡ信号を生成する構成としたので、ＤＣカットによる波形の歪が生じた場合でも、問題なくＣＡＰＡ信号を生成して正確な制御が実現される。
【図面の簡単な説明】
【００７０】
【図１】ＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）検出処理について説明する図である。
【図２】光ディスク装置における光ピックアップの詳細構成例を示す図である。
【図３】光ディスク装置の信号処理回路におけるウォブル（Ｗｏｂｂｌｅ）信号処理回路とＣＡＰＡ検出信号生成回路の一般的構成を示す図である。
【図４】プッシュプル信号［（Ａ＋Ｄ）−（Ｂ＋Ｃ）］を入力して、２値化した高レベルＣＡＰＡ信号と、２値化した低レベルＣＡＰＡ信号を出力する回路例について説明する図である。
【図５】図４に示すようなプッシュプル信号［（Ａ＋Ｄ）−（Ｂ＋Ｃ）］を入力して、２値化した高レベルＣＡＰＡ信号と、２値化した低レベルＣＡＰＡ信号を出力する信号処理構成とした場合の信号波形を説明する図である。
【図６】本発明の一実施例に係る信号処理回路の構成および処理について説明する図である。
【図７】本発明の一実施例に係る信号処理回路であるＣＡＰＡ検出回路の一実施例の構成および処理について説明する図である。
【図８】図７に示すＣＡＰＡ検出回路の信号処理構成において実行する処理について説明する図である。
【図９】本発明の一実施例に係る信号処理回路であるＣＡＰＡ検出回路の一実施例の構成および処理について説明する図である。
【図１０】本発明の一実施例に係る信号処理回路の構成および処理について説明する図である。
【符号の説明】
【００７１】
１０１  トラック
１０２  光スポット
１１１  ヘッダフィールド
１１１，１１２  ＣＡＰＡ（Ｃｏｍｐｌｅｍｅｎｔａｒｙ  Ａｌｌｏｃａｔｅｄ  Ｐｉｔ  Ａｄｄｒｅｓｓｉｎｇ）
１５１  光ディスク
１５２  対物レンズ
１５３  ハーフプリズム
１５４  コリメータレンズ
１５５  レーザ
１５６  光センサ
１５７  光ピックアップ
１７０  ウォブル（Ｗｏｂｂｌｅ）信号処理回路
１７１，１７２  加算回路
１７３，１７４  ハイパスフィルタ（ＨＰＦ）
１７５，１７６  ゲインコントロールアンプ（ＧＣＡ）
１７７  減算回路
１７８  ハイパスフィルタ（ＨＰＦ）
１７９  ゲインコントロールアンプ（ＧＣＡ）
１８０  バンドパスフィルタ（ＢＰＦ）
１８１  コンパレータ（Ｃｏｍｐ）
１９０  ＣＡＰＡ検出信号生成回路
１９１，１９２  加算回路
１９３，１９４  ゲインコントロールアンプ（ＧＣＡ）
１９５  減算回路
１９６  ゲインコントロールアンプ（ＧＣＡ）
１９７  ＣＡＰＡ検出回路
２０１  ピークホールド回路
２０２  ボトムホールド回路
２０３，２０４  コンパレータ
３００  ウォブル（Ｗｏｂｂｌｅ）信号処理回路
３０１，３０２  加算回路
３０３，３０４  ハイパスフィルタ（ＨＰＦ）
３０５，３０６  ゲインコントロールアンプ（ＧＣＡ）
３０７  減算回路
３０８  ハイパスフィルタ（ＨＰＦ）
３０９  ゲインコントロールアンプ（ＧＣＡ）
３１０  バンドパスフィルタ（ＢＰＦ）
３１１  コンパレータ（Ｃｏｍｐ）
３２１  ＣＡＰＡ検出信号生成回路
４０１  ピークホールド回路
４０２  ボトムホールド回路
４０３  減算回路
４０４  オフセット調整回路
４０５  コンパレータ
４５１  ピークレベルホールド信号［Ｓｐｅａｋ］
４５２  ボトムレベルホールド信号［Ｓｂｔｍ］
４５３  ピークボトム差分信号［Ｓｐｅｋ−Ｓｂｔｍ］
４５４  閾値［Ｓｒｅｆ］
４８１  ローパスフィルタ（ＬＰＦ）
５０１  アンチエイリアスフィルタ（ＡＡＦ）
５０２  ＡＤコンバータ（Ａ／Ｄ）
５２１  ＣＡＰＡ検出回路
【図１】
2009015988.tif 000003
【図２】
2009015988.tif 000004
【図３】
2009015988.tif 000005
【図４】
2009015988.tif 000006
【図５】
2009015988.tif 000007
【図６】
2009015988.tif 000008
【図７】
2009015988.tif 000009
【図８】
2009015988.tif 000010
【図９】
2009015988.tif 000011
【図１０】
2009015988.tif 000012